(57)【特許請求の範囲】
【請求項１】
１または複数の番組の情報を複数のパケットに分割したストリームを録画処理するための録画装置であって、
前記ストリームに含まれる番組画像からサムネイル画像を作成するためのサムネイル作成部と、
前記サムネイル画像に対応する前記番組画像を表示すべきタイミングを示すタイミング情報を前記ストリームから取得するための表示タイミング取得部と、
前記サムネイル画像および前記タイミング情報の対応関係を示すサムネイルマップを作成して保存するためのサムネイルマップ作成部と、
前記サムネイルマップに基づいて、指定された前記サムネイル画像に対応する前記番組画像を表示する処理を行うための再生処理部とを備え、
前記サムネイル作成部は、前記ストリームに含まれる番組画像を録画画像処理することによって作成された録画画像からサムネイル画像を作成し、
前記録画装置は、さらに、
前記タイミング情報と前記録画画像との対応関係を示す録画画像マップを作成して保存するための録画画像マップ作成部を備え、
前記再生処理部は、前記サムネイルマップおよび前記録画画像マップに基づいて、指定された前記サムネイル画像に対応する前記録画画像を表示する処理を行い、
前記サムネイル作成部は、前記ストリームに含まれる番組画像に対応する、異なる画質または異なる方式で作成された複数の前記録画画像のうちのいずれか１つから前記サムネイル画像を作成し、
前記録画画像マップ作成部は、前記タイミング情報と前記複数の前記録画画像との対応関係を示す録画画像マップを作成して保存する、録画装置。
【請求項２】
前記サムネイルマップ作成部は、前記タイミング情報と、前記サムネイル画像を保存するための記憶部における格納位置を特定するためのサムネイル格納位置情報との対応関係を示すサムネイルマップを作成して保存する、請求項１に記載の録画装置。
【請求項３】
前記表示タイミング取得部は、前記番組画像を表示すべきタイミングを示すタイミング情報として、前記番組画像を含む前記パケットのヘッダにおけるＰＴＳ（Presentation Time Stamp）値を用いる、請求項１または請求項２に記載の録画装置。
【請求項４】
前記録画画像マップ作成部は、前記タイミング情報と、前記複数の前記録画画像を保存するための記憶部における格納位置をそれぞれ特定するための格納位置情報との対応関係を示す録画画像マップを作成して保存する、請求項１から請求項３のいずれか１項に記載の録画装置。
【請求項５】
前記録画装置は、さらに、
番組の再生を開始する位置としてサムネイル画像の指定を受付け、かつ前記再生を行う際の画質または方式の指定を受付けるための開始位置指定部と、
前記サムネイルマップに基づいて、指定された前記サムネイル画像に対応するタイミング情報を抽出し、前記録画画像マップに基づいて、指定された前記画質または前記方式の、抽出した前記タイミング情報に対応する前記録画画像を抽出するためのマップ管理部とを備え、
前記再生処理部は、前記マップ管理部によって抽出された前記録画画像から再生を開始する、請求項１から請求項４のいずれか１項に記載の録画装置。
【請求項６】
前記サムネイル作成部は、前記ストリームに含まれる番組画像のＩピクチャから前記サムネイル画像を作成する、請求項１から請求項５のいずれか１項に記載の録画装置。
【請求項７】
前記サムネイル作成部は、異なる画質または異なる方式で作成された複数の前記録画画像のうち最も低い画質または所定の方式で作成された前記録画画像から前記サムネイル画像を作成する、請求項１から請求項６のいずれか１項に記載の録画装置。
【請求項８】
１または複数の番組の情報を複数のパケットに分割したストリームを録画処理するための録画装置において用いられるサムネイル管理情報作成装置であって、
前記ストリームに含まれる番組画像からサムネイル画像を作成するためのサムネイル作成部と、
前記サムネイル画像に対応する前記番組画像を表示すべきタイミングを示すタイミング情報を前記ストリームから取得するための表示タイミング取得部と、
前記サムネイル画像および前記タイミング情報の対応関係を示すサムネイルマップを作成して保存するためのサムネイルマップ作成部とを備え、
前記サムネイル作成部は、前記ストリームに含まれる番組画像を録画画像処理することによって作成された録画画像からサムネイル画像を作成し、
前記サムネイル管理情報作成装置は、さらに、
前記タイミング情報と前記録画画像との対応関係を示す録画画像マップを作成して保存するための録画画像マップ作成部を備え、
前記サムネイル作成部は、前記ストリームに含まれる番組画像に対応する、異なる画質または異なる方式で作成された複数の前記録画画像のうちのいずれか１つから前記サムネイル画像を作成し、
前記録画画像マップ作成部は、前記タイミング情報と前記複数の前記録画画像との対応関係を示す録画画像マップを作成して保存する、サムネイル管理情報作成装置。
【請求項９】
１または複数の番組の情報を複数のパケットに分割したストリームを録画処理するための録画装置における録画方法であって、
前記ストリームに含まれる番組画像からサムネイル画像を作成するステップと、
前記サムネイル画像に対応する前記番組画像を表示すべきタイミングを示すタイミング情報を前記ストリームから取得するステップと、
前記サムネイル画像および前記タイミング情報の対応関係を示すサムネイルマップを作成して保存するステップと、
前記サムネイルマップに基づいて、指定された前記サムネイル画像に対応する前記番組画像を表示する処理を行うステップとを含み、
前記サムネイル画像を作成するステップにおいては、前記ストリームに含まれる番組画像を録画画像処理することによって作成された録画画像からサムネイル画像を作成し、
前記録画方法は、さらに、
前記タイミング情報と前記録画画像との対応関係を示す録画画像マップを作成して保存するステップを含み、
前記番組画像を表示する処理を行うステップにおいては、前記サムネイルマップおよび前記録画画像マップに基づいて、指定された前記サムネイル画像に対応する前記録画画像を表示する処理を行い、
前記サムネイル画像を作成するステップにおいては、前記ストリームに含まれる番組画像に対応する、異なる画質または異なる方式で作成された複数の前記録画画像のうちのいずれか１つから前記サムネイル画像を作成し、
前記録画画像マップを作成して保存するステップにおいては、前記タイミング情報と前記複数の前記録画画像との対応関係を示す録画画像マップを作成して保存する、録画方法。
【請求項１０】
１または複数の番組の情報を複数のパケットに分割したストリームを録画処理するための録画装置において用いられる録画プログラムであって、コンピュータに、
前記ストリームに含まれる番組画像からサムネイル画像を作成するステップと、
前記サムネイル画像に対応する前記番組画像を表示すべきタイミングを示すタイミング情報を前記ストリームから取得するステップと、
前記サムネイル画像および前記タイミング情報の対応関係を示すサムネイルマップを作成して保存するステップと、
前記サムネイルマップに基づいて、指定された前記サムネイル画像に対応する前記番組画像を表示する処理を行うステップとを実行させるためのプログラムであり、
前記サムネイル画像を作成するステップにおいては、前記ストリームに含まれる番組画像を録画画像処理することによって作成された録画画像からサムネイル画像を作成し、
さらに、コンピュータに、
前記タイミング情報と前記録画画像との対応関係を示す録画画像マップを作成して保存するステップを実行させるためのプログラムであり、
前記番組画像を表示する処理を行うステップにおいては、前記サムネイルマップおよび前記録画画像マップに基づいて、指定された前記サムネイル画像に対応する前記録画画像を表示する処理を行い、
前記サムネイル画像を作成するステップにおいては、前記ストリームに含まれる番組画像に対応する、異なる画質または異なる方式で作成された複数の前記録画画像のうちのいずれか１つから前記サムネイル画像を作成し、
前記録画画像マップを作成して保存するステップにおいては、前記タイミング情報と前記複数の前記録画画像との対応関係を示す録画画像マップを作成して保存する、録画プログラム。
【発明の詳細な説明】
【技術分野】
【０００１】
本発明は、録画装置、サムネイル管理情報作成装置、録画方法および録画プログラムに関し、特に、ストリームを録画処理するための録画装置、サムネイル管理情報作成装置、録画方法および録画プログラムに関する。
【背景技術】
【０００２】
特開２００７−１１６４７２号公報（特許文献１）には、自動的に作成されたサムネイル画像を確認しながら、ユーザが所望するシーンへと効率的にジャンプできるようにするための技術が公開されている。すなわち、リモコンの録画停止と連動して、サムネイル画像作成部は録画された映像データからサムネイル用の静止画を一定間隔ごとに抽出し、サムネイル画像を作成する。各サムネイル画像はタイマー部により、録画開始時刻からの経過時間と共にメモリ部に記憶される。再生中、スキップキーが操作されると、その操作時刻を基準として複数のサムネイル画像が一覧表示される。表示されたサムネイル画像の一つを選択すると、そのサムネイル画像のシーンから再生が開始される。
【先行技術文献】
【特許文献】
【０００３】
【特許文献１】特開２００７−１１６４７２号公報
【発明の概要】
【発明が解決しようとする課題】
【０００４】
しかしながら、特許文献１に記載の技術では、一つの入力ストリームから複数の出力フォーマットのストリームを作成し、作成したストリームを同時に録画する際に、複数のストリームに対してサムネイルを共通化させると、サムネイル画像および各々のストリーム間の同期がとれなくなってしまう可能性がある。サムネイル画像および各々のストリーム間の同期がとれない場合、たとえばサムネイル画像を選択しても、選択したサムネイル画像のシーンから正確に再生を開始することができなくなる。また、出力フォーマットごとにサムネイルを作成すると、処理が複雑化し、処理負荷が増大してしまう。また、録画開始時刻からの経過時間を用いているので、出力フォーマットごとのストリーム間での同期をとるのが困難となってしまう可能性がある。ストリーム間で同期がとれない場合、たとえばあるストリームにおける１シーンから別のストリームにおける同じシーンの続きへ、ストリーム間をシームレスにつなげることができなくなる。
【０００５】
この発明は、上述の課題を解決するためになされたもので、その目的は、番組の情報が複数のパケットに分割されたストリームを録画処理する構成において、簡易な処理でサムネイル画像に対応する番組画像をより正確に表示することが可能な録画装置、サムネイル管理情報作成装置、録画方法および録画プログラムを提供することである。
【課題を解決するための手段】
【０００６】
（１）上記課題を解決するために、この発明のある局面に係わる録画装置は、１または複数の番組の情報を複数のパケットに分割したストリームを録画処理するための録画装置であって、上記ストリームに含まれる番組画像からサムネイル画像を作成するためのサムネイル作成部と、上記サムネイル画像に対応する上記番組画像を表示すべきタイミングを示すタイミング情報を上記ストリームから取得するための表示タイミング取得部と、上記サムネイル画像および上記タイミング情報の対応関係を示すサムネイルマップを作成して保存するためのサムネイルマップ作成部と、上記サムネイルマップに基づいて、指定された上記サムネイル画像に対応する上記番組画像を表示する処理を行うための再生処理部とを備える。
【０００７】
このように、サムネイル画像を作成し、作成したサムネイル画像に対応する番組画像を表示装置に表示させるタイミングを指定するためのタイミング情報を取得することにより、タイミング情報との対応関係が明確なサムネイル画像を表示することができる。また、録画開始時からカウントする録画経過時間でなく、タイミング情報を用いることにより、サムネイル画像に番組における絶対時間を対応付けることができる。
【０００８】
また、サムネイル画像およびサムネイルマップを作成するので、たとえば再生処理を行うときのように、サムネイル画像に対応する絶対時間を特定する必要が生じた際には、サムネイルマップを参照することにより、サムネイル画像に対応する絶対時間を特定できる。また、逆に、絶対時間に対応するサムネイル画像を特定する必要が生じた際においても、サムネイルマップを参照することにより、絶対時間に対応するサムネイル画像を特定できる。
【０００９】
また、たとえば録画時にサムネイルマップを作成すると、再生処理等を行う度にサムネイル画像およびサムネイルマップの作成を行わなくてもよい。この際、サムネイルマップを参照することにより、サムネイル画像および絶対時間を特定することができる。
【００１０】
（２）好ましくは、上記サムネイル作成部は、上記ストリームに含まれる番組画像を録画画像処理することによって作成された録画画像からサムネイル画像を作成し、上記録画装置は、さらに、上記タイミング情報と上記録画画像との対応関係を示す録画画像マップを作成して保存するための録画画像マップ作成部を備え、上記再生処理部は、上記サムネイルマップおよび上記録画画像マップに基づいて、指定された上記サムネイル画像に対応する上記録画画像を表示する処理を行う。
【００１１】
このような構成により、録画画像および絶対時間を示すタイミング情報の対応関係を明確にすることができる。これにより、タイミング情報との対応関係が明確なサムネイル画像と、録画画像との対応関係を明確にすることができる。サムネイル画像および録画画像を厳密に対応付けることができるため、サムネイル画像および録画画像間における同期をとることができる。
【００１２】
また、たとえば録画時に録画画像マップを作成すると、再生処理または特殊再生処理等を行うときのように、絶対時間から録画画像を特定する必要が生じる度に、録画画像マップを作成しなくてもよい。この際、録画時に作成した録画画像マップを参照することにより、絶対時間から録画画像を特定することができる。
【００１３】
（３）より好ましくは、上記サムネイル作成部は、上記ストリームに含まれる番組画像に対応する、異なる画質または異なる方式で作成された複数の上記録画画像から上記サムネイル画像を作成し、上記録画画像マップ作成部は、上記タイミング情報と上記複数の上記録画画像との対応関係を示す録画画像マップを作成して保存する。
【００１４】
このような構成により、異なる画質または異なる方式で作成された複数の録画画像間において同期をとることができる。
【００１５】
（４）好ましくは、上記サムネイルマップ作成部は、上記タイミング情報と、上記サムネイル画像を保存するための記憶部における格納位置を特定するためのサムネイル格納位置情報との対応関係を示すサムネイルマップを作成して保存する。
【００１６】
このようなサムネイルマップを作成することにより、サムネイルマップを参照して、サムネイル画像の記憶部における格納位置を特定するためのサムネイル格納位置情報からタイミング情報を特定することができる。
【００１７】
（５）好ましくは、上記表示タイミング取得部は、上記番組画像を表示すべきタイミングを示すタイミング情報として、上記番組画像を含む上記パケットのヘッダにおけるＰＴＳ（Presentation Time Stamp）値を用いる。
【００１８】
このように、パケットのヘッダにおけるＰＴＳ値を用いることにより、上記パケットに含まれる番組画像を表示装置に表示させるタイミングを示す絶対時間を指定することができる。
【００１９】
（６）より好ましくは、上記録画画像マップ作成部は、上記タイミング情報と、上記録画画像を保存するための記憶部における格納位置を特定するための格納位置情報との対応関係を示す録画画像マップを作成して保存する。
【００２０】
このように、録画画像マップを参照することにより、タイミング情報から録画画像の記憶部における格納位置を取得することができる。
【００２１】
（７）より好ましくは、上記録画装置は、さらに、番組の再生を開始する位置としてサムネイル画像の指定を受付け、かつ上記再生を行う際の画質または方式の指定を受付けるための開始位置指定部と、上記サムネイルマップに基づいて、指定された上記サムネイル画像に対応するタイミング情報を抽出し、上記録画画像マップに基づいて、指定された上記画質または上記方式の、抽出した上記タイミング情報に対応する上記録画画像を抽出するためのマップ管理部とを備え、上記再生処理部は、上記マップ管理部によって抽出された上記録画画像から再生を開始する。
【００２２】
このような構成により、指定された画質または方式によって、指定されたサムネイル画像に対応する番組画像を基に作成された録画画像から再生を開始することができる。
【００２３】
（８）好ましくは、上記サムネイル作成部は、上記ストリームに含まれる番組画像のＩピクチャから上記サムネイル画像を作成する。
【００２４】
このような構成により、Ｉピクチャの録画画像マップを作成できるので、当該録画画像マップを早送り等の特殊再生に利用することができる。また、再生処理は、Ｉピクチャからのみ開始できるので、サムネイル画像に対応する録画画像から再生を開始することができる。
【００２５】
（９）より好ましくは、上記サムネイル作成部は、異なる画質または異なる方式で作成された複数の上記録画画像のうち最も低い画質または所定の方式で作成された上記録画画像から上記サムネイル画像を作成する。
【００２６】
このような構成により、サムネイル画像を作成するための処理の負荷を小さくすることができる。
【００２７】
（１０）また、上記課題を解決するために、この発明のある局面に係わるサムネイル管理情報作成装置は、１または複数の番組の情報を複数のパケットに分割したストリームを録画処理するための録画装置において用いられるサムネイル管理情報作成装置であって、上記ストリームに含まれる番組画像からサムネイル画像を作成するためのサムネイル作成部と、上記サムネイル画像に対応する上記番組画像を表示すべきタイミングを示すタイミング情報を上記ストリームから取得するための表示タイミング取得部と、上記サムネイル画像および上記タイミング情報の対応関係を示すサムネイルマップを作成して保存するためのサムネイルマップ作成部とを備える。
【００２８】
このように、サムネイル画像を作成し、作成したサムネイル画像に対応する番組画像を表示装置に表示させるタイミングを指定するためのタイミング情報を取得することにより、タイミング情報との対応関係が明確なサムネイル画像を表示することができる。また、録画開始時からカウントする録画経過時間でなく、タイミング情報を用いることにより、サムネイル画像に番組における絶対時間を対応付けることができる。
【００２９】
また、サムネイル画像およびサムネイルマップを作成するので、たとえば再生処理を行うときのように、サムネイル画像に対応する絶対時間を特定する必要が生じた際には、サムネイルマップを参照することにより、サムネイル画像に対応する絶対時間を特定できる。また、逆に、絶対時間に対応するサムネイル画像を特定する必要が生じた際においても、サムネイルマップを参照することにより、絶対時間に対応するサムネイル画像を特定できる。
【００３０】
また、たとえば録画時にサムネイルマップを作成すると、再生処理等を行う度にサムネイル画像およびサムネイルマップの作成を行わなくてもよい。この際、サムネイルマップを参照することにより、サムネイル画像および絶対時間を特定することができる。
【００３１】
（１１）また、上記課題を解決するために、この発明のある局面に係わる録画方法は、１または複数の番組の情報を複数のパケットに分割したストリームを録画処理するための録画装置における録画方法であって、上記ストリームに含まれる番組画像からサムネイル画像を作成するステップと、上記サムネイル画像に対応する上記番組画像を表示すべきタイミングを示すタイミング情報を上記ストリームから取得するステップと、上記サムネイル画像および上記タイミング情報の対応関係を示すサムネイルマップを作成して保存するステップと、上記サムネイルマップに基づいて、指定された上記サムネイル画像に対応する上記番組画像を表示する処理を行うステップとを含む。
【００３２】
このように、サムネイル画像を作成し、作成したサムネイル画像に対応する番組画像を表示装置に表示させるタイミングを指定するためのタイミング情報を取得することにより、タイミング情報との対応関係が明確なサムネイル画像を表示することができる。また、録画開始時からカウントする録画経過時間でなく、タイミング情報を用いることにより、サムネイル画像に番組における絶対時間を対応付けることができる。
【００３３】
また、サムネイル画像およびサムネイルマップを作成するので、たとえば再生処理を行うときのように、サムネイル画像に対応する絶対時間を特定する必要が生じた際には、サムネイルマップを参照することにより、サムネイル画像に対応する絶対時間を特定できる。また、逆に、絶対時間に対応するサムネイル画像を特定する必要が生じた際においても、サムネイルマップを参照することにより、絶対時間に対応するサムネイル画像を特定できる。
【００３４】
また、たとえば録画時にサムネイルマップを作成すると、再生処理等を行う度にサムネイル画像およびサムネイルマップの作成を行わなくてもよい。この際、サムネイルマップを参照することにより、サムネイル画像および絶対時間を特定することができる。
【００３５】
（１２）また、上記課題を解決するために、この発明のある局面に係わる録画プログラムは、１または複数の番組の情報を複数のパケットに分割したストリームを録画処理するための録画装置において用いられる録画プログラムであって、コンピュータに、上記ストリームに含まれる番組画像からサムネイル画像を作成するステップと、上記サムネイル画像に対応する上記番組画像を表示すべきタイミングを示すタイミング情報を上記ストリームから取得するステップと、上記サムネイル画像および上記タイミング情報の対応関係を示すサムネイルマップを作成して保存するステップと、上記サムネイルマップに基づいて、指定された上記サムネイル画像に対応する上記番組画像を表示する処理を行うステップとを実行させるためのプログラムである。
【００３６】
このように、サムネイル画像を作成し、作成したサムネイル画像に対応する番組画像を表示装置に表示させるタイミングを指定するためのタイミング情報を取得することにより、タイミング情報との対応関係が明確なサムネイル画像を表示することができる。また、録画開始時からカウントする録画経過時間でなく、タイミング情報を用いることにより、サムネイル画像に番組における絶対時間を対応付けることができる。
【００３７】
また、サムネイル画像およびサムネイルマップを作成するので、たとえば再生処理を行うときのように、サムネイル画像に対応する絶対時間を特定する必要が生じた際には、サムネイルマップを参照することにより、サムネイル画像に対応する絶対時間を特定できる。また、逆に、絶対時間に対応するサムネイル画像を特定する必要が生じた際においても、サムネイルマップを参照することにより、絶対時間に対応するサムネイル画像を特定できる。
【００３８】
また、たとえば録画時にサムネイルマップを作成すると、再生処理等を行う度にサムネイル画像およびサムネイルマップの作成を行わなくてもよい。この際、サムネイルマップを参照することにより、サムネイル画像および絶対時間を特定することができる。
【発明の効果】
【００３９】
本発明によれば、番組の情報が複数のパケットに分割されたストリームを録画処理する構成において、簡易な処理でサムネイル画像に対応する番組画像をより正確に表示することが可能な録画装置、サムネイル管理情報作成装置、録画方法および録画プログラムを提供することである。
【図面の簡単な説明】
【００４０】
【図１】本発明の実施の形態に係る録画装置の構成を示す図である。
【図２】本発明の実施の形態に係るメディアチップの構成を示す図である。
【図３】本発明の実施の形態に係るストリームにおけるビデオＴＳパケットの一例を示す図である。
【図４】本発明の実施の形態に係るＰＴＳマップの一例を示す図である。
【図５】本発明の実施の形態に係るサムネイルマップの一例を示す図である。
【図６】本発明の実施の形態に係る再生位置選択画面の一例を示す図である。
【図７】本発明の実施の形態に係る録画装置における録画処理の動作手順のシーケンスの一例を示す図である。
【図８】本発明の実施の形態に係るサムネイルマップおよびＰＴＳマップの関係の一例を示す図である。
【図９】本発明の実施の形態に係る録画装置における再生処理の動作手順のシーケンスの一例を示す図である。
【図１０】本発明の実施の形態に係る画質変換処理部において画質ごとに行われる録画画像の作成処理の一例を示す図である。
【発明を実施するための形態】
【００４１】
以下、本発明の実施の形態について図面を用いて説明する。なお、図中同一または相当部分には同一符号を付してその説明は繰り返さない。
【００４２】
［録画装置の構成］
図１は、本発明の実施の形態に係る録画装置の構成を示す図である。
【００４３】
図１を参照して、録画装置１０は、受信部１２と、ＰＴＳ値抽出部（表示タイミング取得部）１３と、画質変換処理部１４と、パケット計数部１５と、ＨＤＤ（記憶部）１６と、ＰＴＳマップ作成部（録画画像マップ作成部）１７と、サムネイル作成部１８と、サムネイルマップ作成部１９と、開始位置指定部２０と、再生処理部２１と、メモリ２２と、マップ管理部２３を備える。なお、ＨＤＤ１６は、録画装置１０の外部に設けられていても良い。
【００４４】
また、たとえば録画装置１０において、ＰＴＳ値抽出部１３、画質変換処理部１４、パケット計数部１５、ＰＴＳマップ作成部１７、サムネイル作成部１８およびサムネイルマップ作成部１９の機能は、メディアチップにより実現される。
【００４５】
図２は、本発明の実施の形態に係るメディアチップの構成を示す図である。
図２を参照して、メディアチップ４０は、ＰＴＳ値抽出部（表示タイミング取得部）４３と、画質変換処理部４４と、パケット計数部４５と、ＰＴＳマップ作成部（録画画像マップ作成部）４７、サムネイル作成部４８と、サムネイルマップ作成部４９とを備える。以下、録画装置１０の説明を以って、メディアチップ４０における各ブロックの説明に代える。
【００４６】
再び図１を参照して、録画装置１０は、１または複数の番組の情報を複数のパケットに分割したストリームを受信して処理する。たとえば、録画装置１０は、ＭＰＥＧ２―ＴＳ（Moving Picture Experts Group 2 Transport Stream）規格に従うストリームを受信して処理する。
【００４７】
より詳細には、録画装置１０は、たとえばＨＤＤレコーダであり、局側装置からストリームを受信し、受信したストリームから映像および音声をデコードし、表示装置において番組を再生する。この局側装置は、たとえば、デジタル放送の放送局に設置される装置である。
【００４８】
受信部１２は、たとえばチューナであり、アンテナ１１によって受信された無線信号において、所定の周波数帯の無線信号を選択的に同調し、増幅した後、アナログ−デジタル変換を行うことによりストリームを抽出する。すなわち、受信部１２は、所定の同調先に選局することにより、特定の局側装置により送信される所定の番組を含むストリームを抽出する。そして、受信部１２は、抽出したストリームをＰＴＳ値抽出部１３へ出力する。
【００４９】
なお、局側装置は、たとえば光ファイバーを伝送路に用いたＦＴＴＨ（Fiber To The Home）等の有線方式により、ストリームを送信するＩＰＴＶ（Internet Protocol Television）に対応するサーバでもよい。また、受信部１２は、たとえば外部から接続できるメモリに記憶されたストリームを受けて、ＰＴＳ値抽出部１３へ出力してもよい。
【００５０】
ストリームには複数のＴＳ（Transport Stream）パケットが含まれ、各ＴＳパケットは、識別子であるＰＩＤ（Packet Identification）を含む。そして、ストリームには、番組の映像を示すビデオＴＳパケットおよび番組の音声を示すオーディオＴＳパケットの他に、ＰＳＩ（Program Specific Information）を示すＴＳパケットが含まれる。このＰＳＩには、ＰＡＴ（Program Association Table）およびＰＭＴ（Program Map Table）が含まれる。ＰＡＴは、ストリームに含まれる１または複数の番組すなわち現在放送中である１または複数の番組の識別子であるチャンネルＩＤと、各放送チャンネルの情報を含むＰＭＴのＰＩＤとを含む。ＰＭＴは、対応の番組の内容を含むビデオＴＳパケットおよびオーディオＴＳパケットのＰＩＤを含む。ＰＡＴおよびＰＭＴは、局側装置からそれぞれ所定の周期で繰り返し送信される。
【００５１】
すなわち、ストリームにおける複数のＴＳパケットは、番組の映像または音声を示す再生対象パケットであるビデオＴＳパケットおよびオーディオＴＳパケットを含む。また、ストリームにおける複数のＴＳパケットは、番組に対応して作成され、対応の番組の再生対象パケットのＰＩＤを含むＰＭＴパケット、および１または複数のＰＭＴパケットのＰＩＤを含むＰＡＴパケットを含む。
【００５２】
次に、ストリームにおけるビデオＴＳパケットおよびオーディオＴＳパケットについて説明する。
【００５３】
図３は、本発明の実施の形態に係るストリームにおけるビデオＴＳパケットの一例を示す図である。
【００５４】
図３を参照して、ストリームには、複数のＰＥＳ（Packetized Elementary Stream）が含まれる。番組の映像に関しては、Ｉピクチャ（Intra-Picture）、Ｐピクチャ（Predictive-Picture）およびＢピクチャ（By-directionally Predictive-Picture）のＰＥＳがある。
【００５５】
ＰＥＳは、ＭＰＥＧ２におけるビデオデータまたはオーディオデータを示すＥＳ（Elementary Stream）をパケット化したものである。ビデオＴＳパケットは、番組の映像データを含むＰＥＳを１８８バイトごとに分割したパケットである。同様に、オーディオＴＳパケットは、番組の音声データを含むＰＥＳを１８８バイトごとに分割したパケットである。
【００５６】
Ｉピクチャ、ＰピクチャおよびＢピクチャは、動画を表示するための各フレームにおいて描画される画像である。Ｉピクチャは、前後のフレームとの依存関係がないので、Ｉピクチャ単独をデコードすることにより画像が作成される。一方、ＰピクチャおよびＢピクチャは、前後のフレームと依存関係があるため、これらを単独でデコードしても画像が作成されない。Ｉピクチャは、画像作成時に前後のフレームを必要としないので、たとえば早送りなどの特殊再生またはプレビュー用の画像等に用いられる。
【００５７】
また、番組の画像データまたは番組の音声データを含むＰＥＳには、画像表示または音声の出力を行うタイミングを示すタイミング情報であるＰＴＳ（Presentation Time Stamp）値が、ＰＥＳまたはＴＳパケットのヘッダに含まれる。また、ストリームの送信側である局側装置のクロックおよびストリームの受信側である録画装置１０のクロックは、必ずしも一致しない。ＭＰＥＧ２−ＴＳにおけるストリームには、局側装置と録画装置１０との同期をとるためのＰＣＲ（Program Clock Reference）がたとえば３０ミリ秒ごとに含められる。録画装置１０は、ストリームから読み取ったＰＣＲを利用して、自己のクロックを局側装置のクロックに同期させる。
【００５８】
再び図１を参照して、ＰＴＳ値抽出部１３は、受信部１２により抽出されたストリームにおけるＰＡＴから、所定の番組に関連するＰＭＴのＰＩＤを抽出する。次に、ＰＴＳ値抽出部１３は、抽出したＰＩＤによりＰＭＴを特定し、特定したＰＭＴを解析することにより、所定の番組の映像データを含むビデオＴＳパケットのＰＩＤを取得する。次に、ＰＴＳ値抽出部１３は、取得したビデオＴＳパケットのＰＩＤを基に、所定の番組の番組画像データを含むＰＥＳを特定する。次に、ＰＴＳ値抽出部１３は、特定したＰＥＳに含まれる番組画像データがたとえばＩピクチャであると、当該ＰＥＳまたはＴＳパケットのヘッダからＰＴＳ値を抽出する。次に、ＰＴＳ値抽出部１３は、抽出したＰＴＳ値をＰＴＳマップ作成部１７およびサムネイルマップ作成部１９へ出力する。また、ＰＴＳ値抽出部１３は、所定の番組の情報を含むストリームと共に、たとえば取得したビデオＴＳパケットのＰＩＤを画質変換処理部１４へ出力する。
【００５９】
画質処理変換部１４は、所定の番組の情報を含むストリームをＰＴＳ値抽出部１３から受ける。また、画質変換処理部１４は、たとえばビデオＴＳパケットのＰＩＤをＰＴＳ値抽出部１３から受ける。画質変換処理部１４は、ビデオＴＳパケットのＰＩＤに基づいてＰＥＳを特定し、特定したＰＥＳから所定の番組の番組画像を抽出する。次に、画質変換処理部１４は、抽出した番組画像を録画画像処理する。
【００６０】
具体的には、画質変換処理部１４は、抽出した番組画像と同じ解像度の録画画像を作成する。この際、画質変換処理部１４は、オリジナルの番組画像と同じ画質である「Ｆｉｎｅ」に対応する録画画像を作成する。また、画質変換処理部１４は、上記番組画像の画質変換を行い、たとえば解像度を落とした録画画像を作成する。この際、画質変換処理部１４は、通常の画質の「Ｍｅｄｉｕｍ」および最も画質の粗いモバイル用の「Ｃｏａｒｓｅ」に対応する録画画像を作成する。
【００６１】
また、画質変換処理部１４は、番組画像から録画画像を作成する際に、録画画像を、番組画像において用いられる番組画像データの符号化方式と異なる方式により作成してもよい。具体的には、録画画像は、ＭＰＥＧ−４（Moving Picture Experts Group 4）またはＡＳＦ（Advanced Systems Format）等の方式により作成されてもよい。
【００６２】
画質処理変換部１４は、作成した録画画像を基に、画質ごとに録画ストリームを作成する。また、画質変換処理部１４は、録画ストリームを作成する際に、ビデオフォーマットを変えてもよい。画質処理変換部１４は、Ｆｉｎｅ、ＭｅｄｉｕｍおよびＣｏａｒｓｅの画質の録画ストリームをそれぞれパケット計数部へ出力する。この際、画質変換処理部１４は、たとえばＩピクチャを含むビデオＴＳパケットのＰＩＤをパケット計数部へ出力してもよい。
【００６３】
また、画質処理変換部１４は、たとえば所定の番組画像を録画画像処理する際には、たとえばＣｏａｒｓｅの画質に変換された録画画像をサムネイル作成部１８へ出力する。所定の番組画像は、たとえば１５秒おきのＩピクチャである。
【００６４】
サムネイル作成部１８は、画質処理変換部１４から受けた録画画像から、より低い画質のサムネイル画像を作成する。サムネイルは、たとえば１５秒おきのＩピクチャを低画質化した画像であり、後述する再生位置選択画面において一覧表示等を行う際に用いる。次に、サムネイル作成部１８は、作成したサムネイルをサムネイルマップ作成部１９へ出力する。
【００６５】
パケット計数部１５は、画質変換処理部１４から録画ストリームを受けると、画質ごとに録画ストリームの情報量を計数し、ＨＤＤ１６へ録画する。具体的には、パケット計数部１５は、画質変換処理部１４から受けた録画ストリームのパケットのバイト数を画質ごとに計数した後、当該パケットをＨＤＤ１６へ録画する。パケット計数部１５は、計数したバイト数を積算することにより、これまでにＨＤＤ１６へ録画した録画ストリームのパケットの総バイト数である画質ごとのパケットオフセット値を得る。
【００６６】
パケット計数部１５は、たとえば０．５秒ごとにＩピクチャを含むビデオＴＳパケットのＰＩＤを画質変換処理部１４から受ける。パケット計数部１５は、当該ＰＩＤに基づいて、Ｉピクチャの画像を含むストリームのＰＥＳを受けたと認識すると、受けたＰＥＳのバイト数を計数する前に、画質ごとのパケットオフセット値をＰＴＳマップ作成部１７へ出力する。パケット計数部１５は、上記出力処理を、たとえば０．５秒ごとに行ってもよい。上記パケットオフセット値を参照することにより、録画ストリームにおける当該Ｉピクチャを含むＰＥＳの位置について特定することができる。
【００６７】
ＰＴＳマップ作成部１７は、録画装置１０においてストリームを録画する際に、ＰＴＳ値と録画画像との対応関係を示す録画画像マップを作成する。具体的には、ＰＴＳマップ作成部１７は、ＰＴＳ値抽出部１３から受けるＰＴＳ値およびパケット計数部１５から受けるパケットオフセット値の対応関係を示すＰＴＳマップを作成する。また、ＰＴＳマップ作成部１７は、ＰＴＳマップを必要に応じてメモリ２２上に展開し、ＨＤＤ１６へ保存する。
【００６８】
図４は、本発明の実施の形態に係るＰＴＳマップの一例を示す図である。
図４を参照して、画質ごとのパケットオフセット値は、ＰＴＳ値に関連付けられて保存される。画面表示時刻は、ＰＴＳ値を基に算出できるので省略してもよい。また、Ｉピクチャ名は、Ｉピクチャを特定するための識別情報である。
【００６９】
サムネイルマップ作成部１９は、録画装置１０においてストリームを録画する際に、サムネイル作成部１８からサムネイル画像を受ける。サムネイルマップ作成部１９は、受けたサムネイル画像をＨＤＤ１６へ保存する。この際、サムネイルマップ作成部１９は、サムネイル画像の保存先の情報であるファイルパスと、ＰＴＳ値抽出部１３から受けるＰＴＳ値とを対応付けてサムネイルマップを作成する。
【００７０】
図５は、本発明の実施の形態に係るサムネイルマップの一例を示す図である。
図５を参照して、ファイルパスは、ＰＴＳ値に関連付けられて保存される。ファイルパスは、フルパスで表したサムネイル画像ファイルのファイル名である。また、画面表示時刻は、ＰＴＳ値を基に算出できるので省略してもよいし、後述する再生位置選択画面を表示する際に利用してもよい。また、サムネイルマップには、サムネイルを作成する際に抽出したアスペクト比が加えられてもよい。また、サムネイルマップ作成部１７は、サムネイルマップを必要に応じてメモリ２２上に展開し、ＨＤＤ１６へ保存する。
【００７１】
ＨＤＤ１６は、ハードディスクドライブ（Hard Disk Drive）等の記憶装置であり、パケット計数部１５から受けた録画ストリームを録画する。また、ＨＤＤ１６は、再生処理部２１からパケットオフセット値を指定した上で録画ストリームを要求されると、当該パケットオフセット値により特定される位置からの録画ストリームを再生処理部２１へ出力する。
【００７２】
また、ＨＤＤ１６は、サムネイルマップ作成部１９からメモリ２２経由で受けたサムネイル画像を保存する。ＨＤＤ１６は、再生処理部２１の要求に応じてサムネイル画像を再生処理部２１へ出力する。
【００７３】
また、ＨＤＤ１６は、サムネイルマップ作成部１９からメモリ２２経由で受けたサムネイルマップを保存する。ＨＤＤ１６は、マップ管理部２３の要求に応じてサムネイルマップをマップ管理部２３へメモリ２２経由で出力する。
【００７４】
また、ＨＤＤ１６は、ＰＴＳマップ作成部からメモリ２２経由で受けたＰＴＳマップを保存する。ＨＤＤ１６は、マップ管理部２３の要求に応じてＰＴＳマップをマップ管理部２３へメモリ２２経由で出力する。
【００７５】
メモリ２２は、たとえばＤＲＡＭ（Dynamic Random Access Memory）などのメモリであり、録画装置１０における各ユニット間でやりとりを行う各種情報を記憶する。また、メモリ２２は、必要に応じてＨＤＤ１６から出力されるデータを自己に展開し、また自己に展開したデータをＨＤＤ１６へ保存する。
【００７６】
開始位置指定部２０は、ユーザによる再生位置選択画面の表示要求操作を受付けると、マップ管理部２３に、表示装置において再生位置選択画面を表示する際に必要なサムネイル画像を特定させる。また、開始位置指定部２０は、再生位置選択画面におけるユーザによるサムネイル画像の選択を受付け、選択されたサムネイル画像についてマップ管理部２３へ通知する。
【００７７】
図６は、本発明の実施の形態に係る再生位置選択画面の一例を示す図である。
図６を参照して、再生位置選択画面には、ストリームに含まれる所定の番組の番組画像から作成されるサムネイル画像が表示される。この際、各サムネイル画像に対応する画面表示時刻が再生位置選択画面に表示されてもよい。ユーザは、再生位置選択画面におけるサムネイル画像を選択することにより、上記番組の再生を開始する位置を指定できる。
【００７８】
マップ管理部２３は、開始位置指定部２０による再生位置選択画面の表示要求に応じて、所定の番組をＨＤＤ１６へ録画する際に作成されたサムネイルマップを参照し、再生位置選択画面を表示するために必要なサムネイル画像を特定する。そして、マップ管理部２３は、特定したサムネイル画像を再生処理部２１へ通知する。また、マップ管理部２３は、開始位置指定部２０から通知されたサムネイル画像を基に、サムネイルマップおよびＰＴＳマップから当該サムネイル画像に対応する所定の画質のパケットオフセット値を特定する。そして、マップ管理部２３は、特定した所定の画質のパケットオフセット値を再生処理部２１へ通知する。
【００７９】
再生処理部２１は、番組画像または録画画像を表示装置において表示または再生する。具体的には、再生処理部２１は、マップ管理部２３からサムネイル画像について通知を受けると、当該サムネイル画像をＨＤＤ１６から読み出し、再生位置選択画面を表示装置において表示する。また、再生処理部２１は、マップ管理部２３から所定の画質のパケットオフセット値を受けると、ＨＤＤ１６における所定の画質の録画ストリームにおいて、パケットオフセット値により特定される格納位置から当該ストリームを読み出し、読み出したストリームをデコードし、表示装置において再生する。
【００８０】
［録画装置の録画動作］
次に、録画装置１０が、受信したストリームに含まれる番組を画質ごとに録画する際に行う動作を詳細に説明する。また、以下、録画装置１０の動作説明を以って、メディアチップ４０の動作説明に代える。
【００８１】
録画装置１０は、以下に示す各フローチャートの各ステップを図示しないメモリから読み出して実行する。このプログラムは、外部からインストールすることができる。このインストールされるプログラムは、たとえば記録媒体に格納された状態で流通する。
【００８２】
図７は、本発明の実施の形態に係る録画装置における録画処理の動作手順のシーケンスの一例を示す図である。
【００８３】
図７を参照して、まず、受信部１２は、ユーザにより指定された所定の番組を録画するために、当該番組を含むストリームを受信する（ステップＳ１０２）。
【００８４】
次に、受信部１２は、受信したストリームをＰＴＳ値抽出部１３へ出力する（ステップＳ１０４）。
【００８５】
次に、ＰＴＳ値抽出部１３は、たとえば受けたストリームからＩピクチャを含むＰＥＳを特定し、特定したＰＥＳのパケットヘッダから当該Ｉピクチャに関連付けられたＰＴＳ値を抽出する（ステップＳ１０６）。
【００８６】
また、ＰＴＳ値抽出部１３は、受信部１２から当該ストリームを最初に受ける場合には、初期化動作を行ってもよい。初期化動作は、たとえば画質ごとのパケットオフセット値を０に設定するリセット操作、ＰＴＳマップの新規作成、サムネイルマップの新規作成およびＨＤＤ１６において録画ストリームを保存するためのファイルの作成等である。ＰＴＳマップ、サムネイルマップおよび録画ストリームを保存するためのファイル名は、たとえば受信したストリームに含まれる所定の番組の名前等から特定できるようにしてもよい。
【００８７】
次に、ＰＴＳ値抽出部１３は、抽出したＰＴＳ値をサムネイルマップ作成部１９へ出力する（ステップＳ１０８）。
【００８８】
次に、サムネイルマップ作成部１９は、ＰＴＳ値抽出部１３からＰＴＳ値を受けると、受けたＰＴＳ値を図５に示すサムネイルマップに保存する（ステップＳ１１２）。
【００８９】
また、ＰＴＳ値抽出部１３は、抽出したＰＴＳ値をＰＴＳマップ作成部１７へ出力する（ステップＳ１１０）。
【００９０】
次に、ＰＴＳマップ作成部１７は、ＰＴＳ値抽出部１３からＰＴＳ値を受けると、受けたＰＴＳ値を図４に示すＰＴＳマップに保存する（ステップＳ１１４）。
【００９１】
また、ＰＴＳ値抽出部１３は、受信部１２から受けたストリームと共に、たとえばビデオＴＳパケットのＰＩＤを画質変換処理部１４へ出力する（ステップＳ１１６）。
【００９２】
次に、画質変換処理部１４は、ＰＴＳ値抽出部１３からストリームを受けると、たとえば受けたストリームと同じ画質の録画ストリーム（Ｆｉｎｅ）を作成する（ステップＳ１１８）。
【００９３】
より詳細には、画質変換処理部１４は、たとえばビデオＴＳパケットのＰＩＤをＰＴＳ値抽出部１３から受けると、当該ＰＩＤに基づいてＰＥＳを特定し、特定したＰＥＳから所定の番組の番組画像を抽出する。次に、画質変換処理部１４は、抽出した番組画像と同じ画質の録画画像を作成する。画質変換処理部１４は、作成した録画画像を基にＰＥＳを作成し、必要に応じて書換えを行ったＰＡＴおよびＰＭＴを加えた録画ストリーム（Ｆｉｎｅ）を作成する。この際、画質変換処理部１４は、ビデオフォーマットを変更してもよい。また、画質変換処理部１４は、たとえばＩピクチャを含む録画ストリーム（Ｆｉｎｅ）のビデオＴＳパケットのＰＩＤをパケット計数部１５へ出力してもよい。
【００９４】
次に、画質変換処理部１４は、作成した録画ストリーム（Ｆｉｎｅ）をパケット計数部１５へ出力する（ステップＳ１２０）。
【００９５】
次に、パケット計数部１５は、録画ストリーム（Ｆｉｎｅ）を画質変換処理部１４から受ける。この際、パケット計数部１５は、たとえば録画ストリーム（Ｆｉｎｅ）におけるＩピクチャを含むビデオＴＳパケットのＰＩＤを画質変換処理部１４から受けてもよい。パケット計数部１５は、上記ＰＩＤから特定したＩピクチャを含むビデオＴＳパケットを受けると、パケットオフセット値（Ｆｉｎｅ）をＰＴＳマップ作成部１７へ出力する（ステップＳ１２２）。
【００９６】
次に、ＰＴＳマップ作成部１７は、パケット計数部１５からパケットオフセット値（Ｆｉｎｅ）を受けると、ステップＳ１１０においてＰＴＳ値抽出部１３から受けたＰＴＳ値およびパケット計数部１５から受けたパケットオフセット値（Ｆｉｎｅ）を対応付けてＰＴＳマップに保存する（ステップＳ１２４）。
【００９７】
また、パケット計数部１５は、画質変換処理部１４から受けた録画ストリーム（Ｆｉｎｅ）のパケットのバイト数を計数する。次に、パケット計数部１５は、計数したバイト数をパケットオフセット値（Ｆｉｎｅ）に加算する（ステップＳ１２６）。
【００９８】
次に、パケット計数部１５は、画質変換処理部１４から受けた録画ストリーム（Ｆｉｎｅ）をＨＤＤ１６へ出力し（ステップＳ１２８）、ＨＤＤ１６に録画する（ステップＳ１３０）。
【００９９】
また、画質変換処理部１４は、ＰＴＳ値抽出部１３からストリームを受けると、たとえば通常画質の録画ストリーム（Ｍｅｄｉｕｍ）を作成する（ステップＳ１３２）。
【０１００】
より詳細には、画質変換処理部１４は、たとえばステップＳ１１８において抽出した所定の番組の番組画像を通常の画質に変換した録画画像を作成する。画質変換処理部１４は、作成した録画画像を基にＰＥＳを作成し、必要に応じて書換えを行ったＰＡＴおよびＰＭＴを加えた録画ストリーム（Ｍｅｄｉｕｍ）を作成する。この際、画質変換処理部１４は、ビデオフォーマットを変更してもよい。また、画質変換処理部１４は、たとえばＩピクチャを含む録画ストリーム（Ｍｅｄｉｕｍ）のビデオＴＳパケットのＰＩＤをパケット計数部１５へ出力してもよい。
【０１０１】
次に、画質変換処理部１４は、作成した録画ストリーム（Ｍｅｄｉｕｍ）をパケット計数部１５へ出力する（ステップＳ１３４）。
【０１０２】
次に、パケット計数部１５は、録画ストリーム（Ｍｅｄｉｕｍ）を画質変換処理部１４から受ける。この際、パケット計数部１５は、たとえば録画ストリーム（Ｍｅｄｉｕｍ）におけるＩピクチャを含むビデオＴＳパケットのＰＩＤを画質変換処理部１４から受けてもよい。パケット計数部１５は、上記ＰＩＤから特定したＩピクチャを含むビデオＴＳパケットを受けると、パケットオフセット値（Ｍｅｄｉｕｍ）をＰＴＳマップ作成部１７へ出力する（ステップＳ１３６）。
【０１０３】
次に、ＰＴＳマップ作成部１７は、パケット計数部１５からパケットオフセット値（Ｍｅｄｉｕｍ）を受けると、ステップＳ１１０においてＰＴＳ値抽出部１３から受けたＰＴＳ値およびパケット計数部１５から受けたパケットオフセット値（Ｍｅｄｉｕｍ）を対応付けてＰＴＳマップに保存する（ステップＳ１３８）。
【０１０４】
また、パケット計数部１５は、画質変換処理部１４から受けた録画ストリーム（Ｍｅｄｉｕｍ）のパケットのバイト数を計数する。次に、パケット計数部１５は、計数したバイト数をパケットオフセット値（Ｍｅｄｉｕｍ）に加算する（ステップＳ１４０）。
【０１０５】
次に、パケット計数部１５は、画質変換処理部１４から受けた録画ストリーム（Ｍｅｄｉｕｍ）をＨＤＤ１６へ出力し（ステップＳ１４２）、ＨＤＤ１６に録画する（ステップＳ１４４）。
【０１０６】
また、画質変換処理部１４は、ＰＴＳ値抽出部１３からストリームを受けると、たとえば最も画質の粗いモバイル用の録画ストリーム（Ｃｏａｒｓｅ）を作成する（ステップＳ１４６）。
【０１０７】
より詳細には、画質変換処理部１４は、たとえばステップＳ１１８において抽出した所定の番組の番組画像を最も粗い画質に変換した録画画像を作成する。画質変換処理部１４は、作成した録画画像を基にＰＥＳを作成し、必要に応じて書換えを行ったＰＡＴおよびＰＭＴを加えた録画ストリーム（Ｃｏａｒｓｅ）を作成する。この際、画質変換処理部１４は、ビデオフォーマットを変更してもよい。また、画質変換処理部１４は、たとえばＩピクチャを含む録画ストリーム（Ｃｏａｒｓｅ）のビデオＴＳパケットのＰＩＤをパケット計数部１５へ出力してもよい。
【０１０８】
次に、画質変換処理部１４は、作成した録画ストリーム（Ｃｏａｒｓｅ）をパケット計数部１５へ出力する（ステップＳ１４８）。
【０１０９】
次に、パケット計数部１５は、録画ストリーム（Ｃｏａｒｓｅ）を画質変換処理部１４から受ける。この際、パケット計数部１５は、たとえば録画ストリーム（Ｃｏａｒｓｅ）におけるＩピクチャを含むビデオＴＳパケットのＰＩＤを画質変換処理部１４から受けてもよい。パケット計数部１５は、上記ＰＩＤから特定したＩピクチャを含むビデオＴＳパケットを受けると、パケットオフセット値（Ｃｏａｒｓｅ）をＰＴＳマップ作成部１７へ出力する（ステップＳ１５０）。
【０１１０】
次に、ＰＴＳマップ作成部１７は、パケット計数部１５からパケットオフセット値（Ｃｏａｒｓｅ）を受けると、ステップＳ１１０においてＰＴＳ値抽出部１３から受けたＰＴＳ値およびパケット計数部１５から受けたパケットオフセット値（Ｃｏａｒｓｅ）を対応付けてＰＴＳマップに保存する（ステップＳ１５２）。
【０１１１】
また、パケット計数部１５は、画質変換処理部１４から受けた録画ストリーム（Ｃｏａｒｓｅ）のパケットのバイト数を計数する。次に、パケット計数部１５は、計数したバイト数をパケットオフセット値（Ｃｏａｒｓｅ）に加算する（ステップＳ１５４）。
【０１１２】
次に、パケット計数部１５は、画質変換処理部１４から受けた録画ストリーム（Ｃｏａｒｓｅ）をＨＤＤ１６へ出力し（ステップＳ１５６）、ＨＤＤ１６に録画する（ステップＳ１５８）。
【０１１３】
また、画質変換処理部１４は、たとえばステップＳ１４６において番組画像から最も粗い画質の録画画像を作成する際には、作成した録画画像（Ｃｏａｒｓｅ）をサムネイル作成部１８へ出力する（ステップＳ１６０）。
【０１１４】
次に、サムネイル作成部１８は、録画画像（Ｃｏａｒｓｅ）を画質変換処理部１４から受けると、録画画像（Ｃｏａｒｓｅ）からサムネイル画像を作成する（ステップＳ１６２）。
【０１１５】
次に、サムネイル作成部１８は、作成したサムネイル画像の画像データをサムネイルマップ作成部１９へ出力する（ステップＳ１６４）。
【０１１６】
次に、サムネイルマップ作成部１９は、サムネイル画像の画像データをサムネイル作成部１８から受けると、受けたサムネイル画像の画像データをＨＤＤ１６へ出力し（ステップＳ１６６）、ＨＤＤ１６に保存する（ステップＳ１７０）。
【０１１７】
次に、サムネイルマップ作成部１９は、ＨＤＤ１６に保存したサムネイル画像の保存先を示すファイルパスを、ステップＳ１０８においてＰＴＳ値抽出部１３から受けたＰＴＳ値に対応付けてサムネイルマップに保存する（ステップＳ１７２）。
【０１１８】
以上の動作により、ＰＴＳマップおよびサムネイルマップを作成しながら、受信したストリームに含まれる番組を画質ごとにＨＤＤ１６へ録画する録画処理が行われる。
【０１１９】
なお、画質変換処理部１４は、上記動作におけるステップＳ１１８、Ｓ１３２およびＳ１４６において、番組画像において用いられるデータの符号化方式と異なる方式により、録画画像を作成してもよい。
【０１２０】
Ｉピクチャはたとえば番組を含むストリームにおいて０．５秒ごとに含まれるので、上記動作におけるステップＳ１２４、Ｓ１３８およびＳ１５２において、ＰＴＳマップには、０．５秒ごとにＰＴＳ値およびパケットオフセット値が記録される。０．５秒ごとに更新されたＰＴＳマップは、たとえば早送りなどの特殊再生を行う際に、ＰＴＳ値に対応する録画画像の、ＨＤＤ１６における格納位置を特定するために利用できる。
【０１２１】
また、画質変換処理部１４は、ステップＳ１６２において、Ｉピクチャから作成した最も粗い画質の録画画像を、常にサムネイル作成部１８へ出力する必要はない。画質変換処理部１４は、たとえばサムネイル画像が再生開始位置を特定するために使用される場合、上記録画画像を１５秒ごとにサムネイル作成部１８へ出力してもよい。これにより、サムネイル画像の作成が１５秒ごとになるので、サムネイル作成処理の負荷を抑えることができる。
【０１２２】
また、上記のステップＳ１０６において、受信部１２において受信したストリームにおける番組画像から、ＰＴＳ値が抽出される。ＰＴＳ値は、当該ＰＴＳ値を含むパケットに対応する番組画像を表示装置に表示させるタイミングを示す。従って、ＰＴＳ値は、番組における絶対時間を示す。すなわち、録画装置１０は、ストリームを録画する際に作成するサムネイル画像およびパケットオフセット値に対して、絶対時間を対応付けることができる。
【０１２３】
また、サムネイル画像を指定すると、サムネイルマップにおいて、上記サムネイル画像に対応するＰＴＳ値を特定することができる。また、ＰＴＳマップにおいて、ＰＴＳ値からパケットオフセット値を特定することができる。パケットオフセット値は、ＨＤＤ１６に録画された録画ストリームにおける録画画像の格納位置を示す。すなわち、サムネイル画像を指定することにより、上記サムネイル画像に対応する録画画像を特定できる。従って、サムネイル画像および録画画像において同期をとることができる。
【０１２４】
また、録画装置１０は、たとえばＦｉｎｅ、ＭｅｄｉｕｍおよびＣoａｒｓｅの３種類の録画画像から複数の画質の録画ストリームを作成する際に、サムネイル画像および録画画像はＰＴＳ値により同期がとれるので、画質ごとにサムネイル画像を作成しなくてもよい。これにより、録画装置１０は、サムネイル画像を作成する処理の簡素化および負荷の軽減を行うことができる。
【０１２５】
また、上記のステップＳ１６２において、最も画質が粗いＣoａｒｓｅの録画画像からサムネイル画像を作成するので、更に画質の良いＦｉｎｅまたはＭｅｄｉｕｍの録画画像からサムネイル画像を作成する場合と比べて、サムネイル画像を作成する処理負荷を軽減することができる。また、Ｃｏａｒｓｅの録画画像の代わりに、たとえばモバイル用の方式であるＭＰＥＧ−４で作成された録画画像からサムネイル画像を作成してもよい。これによっても、サムネイル画像を作成する処理負荷を軽減することができる。
【０１２６】
また、上記の動作において、受信部１２において受信したストリームから、Ｆｉｎｅ、ＭｅｄｉｕｍおよびＣoａｒｓｅの３種類の録画ストリームが作成されたが、１種類の録画ストリームのみが作成されてもよい。この場合においても、ＰＴＳ値を用いることにより、サムネイル画像および録画ストリームにおける録画画像を厳密に対応付けすることができる。
【０１２７】
また、上記の動作において、録画装置１０は、画質の異なる録画画像を含む録画ストリームを作成したが、方式の異なる録画画像を含む録画ストリームを作成してもよい。この場合においても、画質の異なる録画画像を含む録画ストリームを作成する場合と同様に、サムネイルマップおよびＰＴＳマップが作成されるので、サムネイル画像および録画画像の間で同期をとることができる。
【０１２８】
［サムネイルマップおよびＰＴＳマップの関係］
次に、サムネイルマップおよびＰＴＳマップの関係を詳細に説明する。
【０１２９】
図８は、本発明の実施の形態に係るサムネイルマップおよびＰＴＳマップの関係の一例を示す図である。
【０１３０】
図８を参照して、まず、図８（Ａ）は、図５に示すサムネイルマップに含まれるＰＴＳ値、画面表示時刻、ファイルパスにおけるファイル名および上記ファイルパスにより特定できるサムネイル画像を模式的に示したものである。
【０１３１】
サムネイル画像は、ファイルパスにより特定できる。また、画面表示時刻は、ＰＴＳ値に基づいて算出することができる。すなわち、サムネイル画像および画面表示時刻は、対応付けすることが可能である。
【０１３２】
また、図８（Ｂ）は、図７に示す、録画ストリーム（Ｆｉｎｅ）、録画ストリーム（Ｍｅｄｉｕｍ）および録画ストリーム（Ｃｏａｒｓｅ）と、パケットオフセット値との関係を模式的に示したものである。横軸は、各録画ストリームにおけるパケットオフセット値を示す。最も良い画質の録画ストリーム（Ｆｉｎｅ）の容量は最も大きく、録画ストリーム（Ｍｅｄｉｕｍ）、録画ストリーム（Ｃｏａｒｓｅ）の順に容量は小さくなる。
【０１３３】
図５を参照して、たとえば、図８（Ａ）に示す「Ｓ」と表示されたサムネイル画像には、ＰＴＳ値である５，４０６，１４６が対応付けられる。そして、図４を参照して、ＰＴＳマップにおいて、ＰＴＳ値が「５，４０６，１４６」に対応付けられるパケットオフセット値が特定される。これにより、パケットオフセット値は、画質ごとに、録画ストリーム（Ｆｉｎｅ）における１３４，４６３バイト、録画ストリーム（Ｍｅｄｉｕｍ）における３３，５１４バイト、および録画ストリーム（Ｃｏａｒｓｅ）における１７，０４２バイトとなる。
【０１３４】
そして、各録画ストリームにおいて特定されたパケットオフセット値からデータを読み出すことにより、サムネイル画像の基となる番組画像から作成された録画画像のデータを取得することができる。
【０１３５】
また、ＰＴＳマップにより、ＰＴＳ値と、録画ストリーム（Ｆｉｎｅ）、録画ストリーム（Ｍｅｄｉｕｍ）および録画ストリーム（Ｃｏａｒｓｅ）のパケットオフセット値との対応関係が明確となるので、画質または方式の異なる各録画ストリーム間において同期をとることができる。
【０１３６】
［録画装置の再生動作］
次に、録画装置１０が、指定されたサムネイル画像の基となる番組画像から作成された録画画像から、録画ストリームの再生処理を行う動作を詳細に説明する。
【０１３７】
図９は、本発明の実施の形態に係る録画装置における再生処理の動作手順のシーケンスの一例を示す図である。
【０１３８】
図９を参照して、まず、再生すべき番組および画質は、ユーザにより指定されている。次に、ユーザは、当該番組の再生を開始する位置を選択するための再生位置選択画面を表示装置に表示させるための操作を開始位置指定部２０に対して行う（ステップＳ２０２）。たとえば、ユーザは、Ｆｉｎｅの画質で所定の番組を指定したとする。
【０１３９】
次に、開始位置指定部２０は、ユーザによる再生位置選択画面の表示要求操作を受けると、たとえば所定の番組の番組名を含む再生位置選択画面表示命令をマップ管理部２３へ出力する（ステップＳ２０４）。
【０１４０】
次に、マップ管理部２３は、開始位置指定部２０から再生位置選択画面表示命令を受けると、たとえば所定の番組の番組名を取得する。次に、マップ管理部２３は、上記番組名を基に、所定の番組を含む録画ストリームをＨＤＤ１６へ録画した際に作成されたサムネイルマップを特定し、ＨＤＤ１６から読み出し、参照する（ステップＳ２０６）。
【０１４１】
次に、マップ管理部２３は、たとえば図５に示すサムネイルマップにおいて画面表示時刻が０ｓ００から１ｍ１５ｓ００までの、サムネイル画像のＨＤＤ１６における格納位置を特定するためのファイルパスを特定する（ステップＳ２０８）。
【０１４２】
次に、マップ管理部２３は、特定したファイルパスを再生処理部２１へ通知する（ステップＳ２１０）。
【０１４３】
次に、再生処理部２１は、マップ管理部２３からファイルパスを受けると、受けたファイルパスに該当するサムネイル画像をＨＤＤ１６から読み出す（ステップＳ２１１）。
【０１４４】
次に、再生処理部２１は、ＨＤＤ１６から読み出したサムネイル画像を含む、図６に示す再生位置選択画面を表示装置において表示する（ステップＳ２１２）。
【０１４５】
次に、開始位置指定部２０は、たとえばユーザによる「Ｓ」と表示された、画面表示時刻が「１分００秒」のサムネイル画像の選択を受けると（ステップＳ２１４）、選択されたサムネイル画像を特定するための情報、所定の番組の番組名および画質を含めた選択サムネイル通知をマップ管理部２３へ出力する（ステップＳ２１６）。選択されたサムネイル画像を特定するための情報は、たとえば当該サムネイル画像のファイルパスである「ｃ：￥ｓｔｂ￥２０１１１１２０￥ＴＮ−４．ｔｍｂ」である。また、画質は、たとえば「Ｆｉｎｅ」である。
【０１４６】
次に、マップ管理部２３は、開始位置指定部２０から選択サムネイル通知を受けると、たとえばサムネイル画像のファイルパスを取得する。次に、マップ管理部２３は、上記番組名を基に、所定の番組を含む録画ストリームをＨＤＤ１６へ録画した際に作成されたサムネイルマップを特定し、ＨＤＤ１６から読み出し、参照する（ステップＳ２１８）。
【０１４７】
次に、マップ管理部２３は、たとえば図５に示すサムネイルマップにおいて「ｃ：￥ｓｔｂ￥２０１１１１２０￥ＴＮ−４．ｔｍｂ」に対応するＰＴＳ値である「５，４０６，１４６」を特定する（ステップＳ２２０）。
【０１４８】
次に、マップ管理部２３は、上記番組名を基に、所定の番組を含む録画ストリームをＨＤＤ１６へ録画した際に作成されたＰＴＳマップを特定し、参照する（ステップＳ２２２）。
【０１４９】
次に、マップ管理部２３は、ＰＴＳ値「５，４０６，１４６」に対応する、画質「Ｆｉｎｅ」のパケットオフセット値である「１３４，４６３」を特定する（ステップＳ２２４）。
【０１５０】
次に、マップ管理部２３は、特定したパケットオフセット値である「１３４，４６３」を再生処理部２１へ通知する（ステップＳ２２６）。この際、マップ管理部２３は、たとえば所定の番組の番組名を含めてパケットオフセット通知を再生処理部２１へ通知しても良い。
【０１５１】
次に、再生処理部２１は、マップ管理部２３からパケットオフセット値を受ける。この際、再生処理部２１は、たとえばマップ管理部２３から所定の番組の番組名を受ける。次に、再生処理部２１は、上記番組名から画質が「Ｆｉｎｅ」である録画ストリームのファイル名を特定し、特定したファイル名および格納位置を特定できるパケットオフセット値を含めたストリーム要求をＨＤＤ１６へ出力する（ステップＳ２２８）。
【０１５２】
次に、ＨＤＤ１６は、再生処理部２１からストリーム要求を受けると、ファイル名およびパケットオフセット値を取得し、ＨＤＤ１６における読み出し位置を特定する（ステップＳ２３０）。
【０１５３】
次に、ＨＤＤ１６は、特定した読み出し位置から録画ストリーム（Ｆｉｎｅ）を読み出し、読み出した録画ストリーム（Ｆｉｎｅ）を再生処理部２１へ出力する（ステップＳ２３２）。
【０１５４】
次に、再生処理部２１は、ＨＤＤ１６から受けた録画ストリーム（Ｆｉｎｅ）を表示装置において再生する（ステップＳ２３４）。この際、再生処理部２１は、丁度「Ｓ」が表示された画面から再生を始めることができる。
【０１５５】
以上の動作により、ＰＴＳマップおよびサムネイルマップを参照しながら、録画装置１０により録画されたストリームを再生する再生動作が行われる。
【０１５６】
ところで、図７に示す動作手順においては、画質変換処理部１４は、ストリームのＰＥＳに含まれる番組画像を録画画像処理する際には、たとえば逐次動作により録画画像処理を行っている。従って、同じ番組画像から作成される録画画像、たとえば録画ストリーム（Ｆｉｎｅ）、録画ストリーム（Ｍｅｄｉｕｍ）および録画ストリーム（Ｃｏａｒｓｅ）に含まれる録画画像、が録画画像処理される時間はそれぞれ異なる。以下に、同じ番組画像から作成される録画画像が録画画像処理される時間の違いについて説明する。
【０１５７】
図１０は、本発明の実施の形態に係る画質変換処理部において画質ごとに行われる録画画像の作成処理の一例を示す図である。
【０１５８】
図１０を参照して、横軸は、録画経過時間、すなわち録画装置１０がストリームに含まれる所定の番組の録画を開始した時刻からカウントする時間を示す。
【０１５９】
画質変換処理部１４は、図７に示すステップＳ１１８、ステップＳ１３２およびステップＳ１４６において録画画像処理を行う際に、たとえばＰＴＳ値抽出部１３から受けた番組画像であるＩピクチャ（IPicture-119）の画質変換を行うとする。
【０１６０】
図７に示すステップＳ１１８において、画質変換処理部１４が、上記番組画像からＦｉｎｅの画質への録画画像処理を開始する時刻をｔ１とする。そして、画質変換処理部１４が、録画画像（Ｆｉｎｅ）の作成を終了する時刻をｔ２とする。この際、上記番組画像および録画画像（Ｆｉｎｅ）は画質が変わらないので、処理時間は短い。
【０１６１】
また、図７に示すステップＳ１３２において、画質変換処理部１４が、上記番組画像からＭｅｄｉｕｍの画質への録画画像処理を開始する時刻をｔ２とする。そして、画質変換処理部１４が、録画画像（Ｍｅｄｉｕｍ）の作成を終了する時刻をｔ３とする。
【０１６２】
また、図７に示すステップＳ１４６において、画質変換処理部１４が、上記番組画像からＣｏａｒｓｅの画質への録画画像処理を開始する時刻をｔ３とする。そして、画質変換処理部１４が、録画画像（Ｃｏａｒｓｅ）の作成を終了する時刻をｔ４とする。
【０１６３】
画質変換処理部１４が、同じ番組画像から複数の画質の録画画像を作成するための録画画像処理を行う際に、逐次方式により録画画像処理を行うと、録画画像処理が行われる録画経過時間が画質ごとに異なる。たとえば、録画ストリーム（Ｆｉｎｅ）における録画画像（Ｆｉｎｅ）に対応付ける録画経過時間をｔ２とする。また、録画ストリーム（Ｍｅｄｉｕｍ）における録画画像（Ｍｅｄｉｕｍ）に対応付ける録画経過時間をｔ３とする。また、録画ストリーム（Ｃｏａｒｓｅ）における録画画像（Ｃｏａｒｓｅ）に対応付ける録画経過時間をｔ４とする。
【０１６４】
また、図７に示すステップＳ１６２において、サムネイル作成部１８が、録画画像（Ｃｏａｒｓｅ）からサムネイル画像の作成を開始する時刻をｔ４とする。そして、サムネイル作成部１８が、サムネイル画像の作成を終了する時刻をｔ５とする。たとえば、上記サムネイル画像に対応付ける録画経過時間をｔ５とする。
【０１６５】
たとえば、上記サムネイル画像から再生を開始したい場合において、上記サムネイル画像に対応する録画経過時間であるｔ５に基づいて再生開始位置を特定すると、以下の問題が発生してしまう。すなわち、ｔ２、ｔ３、ｔ４およびｔ５は一般に異なった時間であるので、上記サムネイルに対応する録画経過時間であるｔ５と厳密に一致する録画経過時間を持つ録画画像はない。従って、上記の場合にはｔ５より後の時刻に作成された録画画像から再生が開始されてしまう可能性がある。すなわち、サムネイル画像および録画ストリームにおける録画画像間において同期がとれないという問題が発生してしまう。また、ｔ２、ｔ３およびｔ４は一般に異なった時間であるので、録画したストリーム間において同期をとることも困難である。
【０１６６】
サムネイル画像および録画ストリームにおける録画画像間において同期をとるために、録画ストリームごとにサムネイルを作成すると、図７に示すステップＳ１６２におけるサムネイル画像の作成処理を、ＦｉｎｅおよびＭｅｄｉｕｍの画質に対しても行う必要があり、処理の負荷が大きくなってしまう。
【０１６７】
録画画像処理およびサムネイル画像作成処理を並列に行うことにより上記問題の解決を図る際においても、サムネイル画像および録画ストリームにおける録画画像、または複数の録画ストリームにおける録画画像間において厳密に同期させることは難しい。
【０１６８】
また、図７および図１０に示す録画画像処理においては、番組画像を１枚ごとに画像変換処理し、録画画像を作成したが、たとえば１５枚程度の一連の番組画像を含むＧＯＰ（Group of Picture）単位で録画画像処理を行ってもよい。この際、サムネイル画像および録画画像間での同期をとることは、さらに困難となる。
【０１６９】
これに対して、本発明の実施の形態に係る録画装置では、サムネイル作成部１８は、ストリームに含まれる番組画像からサムネイル画像を作成する。ＰＴＳ値抽出部１３は、サムネイル画像に対応する番組画像を表示すべきタイミングを示すＰＴＳ値をストリームから取得する。サムネイルマップ作成部１９は、サムネイル画像およびＰＴＳ値の対応関係を示すサムネイルマップを作成して保存する。そして、再生処理部２１は、サムネイルマップに基づいて、指定されたサムネイル画像に対応する番組画像を表示する処理を行う。
【０１７０】
このように、サムネイル画像を作成し、作成したサムネイル画像に対応する番組画像を表示装置に表示させるタイミングを指定するためのＰＴＳ値を取得することにより、ＰＴＳ値との対応関係が明確なサムネイル画像を表示することができる。また、録画開始時からカウントする録画経過時間でなく、ＰＴＳ値を用いることにより、サムネイル画像に絶対時間を対応付けることができる。
【０１７１】
また、サムネイル画像およびサムネイルマップを作成するので、たとえば再生処理を行うときのように、サムネイル画像に対応する絶対時間を特定する必要が生じた際には、サムネイルマップを参照することにより、サムネイル画像に対応する絶対時間を特定できる。また、逆に、絶対時間に対応するサムネイル画像を特定する必要が生じた際においても、サムネイルマップを参照することにより、絶対時間に対応するサムネイル画像を特定できる。
【０１７２】
また、たとえば録画時にサムネイルマップを作成すると、再生処理等を行う度にサムネイル画像およびサムネイルマップの作成を行わなくてもよい。この際、サムネイルマップを参照することにより、サムネイル画像および絶対時間を特定することができる。
【０１７３】
また、本発明の実施の形態に係る録画装置では、サムネイル作成部１８は、ストリームに含まれる番組画像を録画画像処理することによって作成された録画画像からサムネイル画像を作成する。ＰＴＳマップ作成部１７は、ＰＴＳ値と録画画像との対応関係を示すＰＴＳマップを作成して保存する。そして、再生処理部２１は、サムネイルマップおよびＰＴＳマップに基づいて、指定されたサムネイル画像に対応する録画画像を表示する処理を行う。
【０１７４】
このような構成により、録画画像および絶対時間を示すＰＴＳ値の対応関係を明確にすることができる。これにより、ＰＴＳ値との対応関係が明確なサムネイル画像と、録画画像との対応関係を明確にすることができる。サムネイル画像および録画画像を厳密に対応付けることができるため、サムネイル画像および録画画像間における同期をとることができる。
【０１７５】
また、たとえば録画時にＰＴＳマップを作成すると、再生処理または特殊再生処理等を行うときのように、絶対時間から録画画像を特定する必要が生じる度に、ＰＴＳマップを作成しなくてもよい。この際、録画時に作成したＰＴＳマップを参照することにより、絶対時間から録画画像を特定することができる。
【０１７６】
また、本発明の実施の形態に係る録画装置では、サムネイル作成部１８は、ストリームに含まれる番組画像に対応する、異なる画質または異なる方式で作成された複数の録画画像からサムネイル画像を作成する。そして、ＰＴＳマップ作成部１７は、タイミング情報と複数の録画画像との対応関係を示す録画画像マップを作成して保存する。
【０１７７】
このような構成により、異なる画質または異なる方式で作成された複数の録画画像間において同期をとることができる。
【０１７８】
また、本発明の実施の形態に係る録画装置では、サムネイルマップ作成部１９は、ＰＴＳ値と、サムネイル画像のＨＤＤ１６における格納位置を特定するためのファイルパスとの対応関係を示すサムネイルマップを作成して保存する。
【０１７９】
このようなサムネイルマップを作成することにより、サムネイルマップを参照して、サムネイル画像のＨＤＤ１６における保存先であるファイルパスからＰＴＳ値を特定することができる。
【０１８０】
また、本発明の実施の形態に係る録画装置では、ＰＴＳ値抽出部１３は、番組画像を表示すべきタイミングを示すタイミング情報として、番組画像を含むパケットのヘッダにおけるＰＴＳ（Presentation Time Stamp）値を用いる。
【０１８１】
このように、パケットのヘッダにおけるＰＴＳ値を用いることにより、上記パケットに含まれる番組画像を表示装置に表示させるタイミングを示す絶対時間を指定することができる。
【０１８２】
また、本発明の実施の形態に係る録画装置では、ＰＴＳマップ作成部１７は、ＰＴＳ値と、録画画像を保存するためのＨＤＤ１６における格納位置を特定するためのパケットオフセット値との対応関係を示すＰＴＳマップを作成して保存する。
【０１８３】
このように、ＰＴＳマップを参照することにより、ＰＴＳ値から録画画像のＨＤＤ１６における格納位置を取得することができる。
【０１８４】
また、本発明の実施の形態に係る録画装置では、開始位置指定部２０は、番組の再生を開始する位置としてサムネイル画像の指定を受付け、かつ再生を行う際の画質または方式の指定を受付ける。マップ管理部２３は、サムネイルマップに基づいて、指定されたサムネイル画像に対応するＰＴＳ値を抽出し、ＰＴＳマップに基づいて、指定された画質または方式の、抽出したＰＴＳ値に対応する録画画像を抽出する。そして、再生処理部２１は、マップ管理部２３によって抽出された録画画像から再生を開始する。
【０１８５】
このような構成により、指定された画質または方式によって、指定されたサムネイル画像に対応する番組画像を基に作成された録画画像から再生を開始することができる。
【０１８６】
また、本発明の実施の形態に係る録画装置では、サムネイル作成部１８は、ストリームに含まれる番組画像のＩピクチャからサムネイル画像を作成する。
【０１８７】
このような構成により、ＩピクチャのＰＴＳマップを作成できるので、当該ＰＴＳマップを早送り等の特殊再生に利用することができる。また、再生処理は、Ｉピクチャからのみ開始できるので、サムネイル画像に対応する録画画像から再生を開始することができる。
【０１８８】
また、本発明の実施の形態に係る録画装置では、サムネイル作成部１８は、異なる画質または異なる方式で作成された複数の録画画像のうち最も低い画質または所定の方式で作成された録画画像からサムネイル画像を作成する。
【０１８９】
このような構成により、サムネイル画像を作成するための処理の負荷を小さくすることができる。
【０１９０】
また、本発明の実施の形態に係るサムネイル管理情報作成装置では、サムネイル作成部１８は、ストリームに含まれる番組画像からサムネイル画像を作成する。ＰＴＳ値抽出部１３は、サムネイル画像に対応する番組画像を表示すべきタイミングを示すＰＴＳ値をストリームから取得する。そして、サムネイルマップ作成部１９は、サムネイル画像およびタイミング情報の対応関係を示すサムネイルマップを作成して保存する。
【０１９１】
このように、サムネイル画像を作成し、作成したサムネイル画像に対応する番組画像を表示装置に表示させるタイミングを指定するためのＰＴＳ値を取得することにより、ＰＴＳ値との対応関係が明確なサムネイル画像を表示することができる。また、録画開始時からカウントする録画経過時間でなく、ＰＴＳ値を用いることにより、サムネイル画像に絶対時間を対応付けることができる。
【０１９２】
また、サムネイル画像およびサムネイルマップを作成するので、たとえば再生処理を行うときのように、サムネイル画像に対応する絶対時間を特定する必要が生じた際には、サムネイルマップを参照することにより、サムネイル画像に対応する絶対時間を特定できる。また、逆に、絶対時間に対応するサムネイル画像を特定する必要が生じた際においても、サムネイルマップを参照することにより、絶対時間に対応するサムネイル画像を特定できる。
【０１９３】
また、たとえば録画時にサムネイルマップを作成すると、再生処理等を行う度にサムネイル画像およびサムネイルマップの作成を行わなくてもよく、サムネイルマップを参照することにより、サムネイル画像および絶対時間を特定することができる。
【０１９４】
また、本発明の実施の形態に係るストリーム取得装置および再生処理装置は、ＭＰＥＧ２−ＴＳ規格に従うストリームの受信処理を行なう構成であるとしたが、これに限定するものではない。他の規格に従うストリームの受信処理を行なう構成であってもよい。
【０１９５】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１９６】
１０  録画装置
１１  アンテナ
１２  受信部
１３  ＰＴＳ値抽出部（表示タイミング取得部）
１４  画質変換処理部
１５  パケット計数部
１６  ＨＤＤ（記憶部）
１７  ＰＴＳマップ作成部（録画画像マップ作成部）
１８  サムネイル作成部
１９  サムネイルマップ作成部
２０  開始位置指定部
２１  再生処理部
２２  メモリ
２３  マップ管理部
４０  メディアチップ（サムネイル管理情報作成装置）
４３  ＰＴＳ値抽出部（表示タイミング取得部）
４４  画質変換処理部
４５  パケット計数部
４７  ＰＴＳマップ作成部（録画画像マップ作成部）
４８  サムネイル作成部
４９  サムネイルマップ作成部
【図１】
0005839195.tif 000002
【図２】
0005839195.tif 000003
【図３】
0005839195.tif 000004
【図４】
0005839195.tif 000005
【図５】
0005839195.tif 000006
【図６】
0005839195.tif 000007
【図７】
0005839195.tif 000008
【図８】
0005839195.tif 000009
【図９】
0005839195.tif 000010
【図１０】
0005839195.tif 000011